【手続補正書】
【提出日】平成16年12月17日(2004.12.17)
【手続補正１】
【補正対象書類名】明細書
【補正対象項目名】発明の名称
【補正方法】変更
【補正の内容】
【発明の名称】インクジェット記録装置及びインクジェット記録方法
【手続補正２】
【補正対象書類名】明細書
【補正対象項目名】特許請求の範囲
【補正方法】変更
【補正の内容】
【特許請求の範囲】
【請求項１】
インク吸収体にインク成分が堆積し易い低浸透性のインクと、インク吸収体にインク成分が堆積しにくい高浸透性のインクとを用いて記録媒体に記録を行うインクジェット記録装置であって、
上記記録媒体の縁を含む縁周辺部にまで画像を形成する場合には、上記低浸透性のインクを使用せずに上記高浸透性のインクのみを使用して記録を行うことを特徴とするインクジェット記録装置。
【請求項２】
インク吸収体にインク成分が堆積し易い低浸透性のインクと、インク吸収体にインク成分が堆積しにくい高浸透性のインクとを用いて記録を行うインクジェット記録装置であって、
記録媒体の縁を含む縁周辺部にまで画像を形成する場合に、記録媒体の縁に向かって低浸透性のインクの使用量が減り、且つ高浸透性のインクの使用量が増えるように、インクの使用量を制御することを特徴とするインクジェット記録装置。
【請求項３】
前記低浸透性のインクが顔料インクであり、前記高浸透性のインクが染料インクである請求項１または２に記載のインクジェット記録装置。
【請求項４】
顔料インクと染料インクを吐出可能な吐出部を備えたインクジェット記録装置であって、
記録媒体の縁を含む縁周辺部にまでインクを吐出して記録を行う縁なし記録を実行可能な記録制御部と、
上記縁なし記録の際に吐出されるインクを受けるためのインク吸収体とを備え、
上記記録制御部は、上記縁なし記録を実行する場合、上記顔料インクは吐出せず上記染料インクのみを吐出することを特徴とするインクジェット記録装置。
【請求項５】
インク吸収体にインク成分が堆積し易い低浸透性のインクと、インク吸収体にインク成分が堆積しにくい高浸透性のインクとを用いて記録媒体に画像を記録するインクジェット記録方法であって、
記録媒体の縁を含む縁周辺部にまで画像を形成する場合に、上記低浸透性のインクを使用せずに上記高浸透性のインクのみを使用して画像を記録することを特徴とするインクジェット記録方法。
【請求項６】
インク吸収体にインク成分が堆積し易い低浸透性のインクと、インク吸収体にインク成分が堆積しにくい高浸透性のインクとを用いて記録媒体に画像を記録するインクジェット記録方法であって、
記録媒体の縁を含む縁周辺部にまで画像を形成する場合に、記録媒体の縁に向かって低浸透性のインクの使用量が減り、且つ高浸透性のインクの使用量が増えるように、インクの使用量を制御して画像を記録することを特徴とするインクジェット記録方法。
【請求項７】
インクを付与するためのインク付与手段と、当該インクと反応する液体組成物を付与するための液体組成物付与手段とを用いて記録媒体に画像を記録可能なインクジェット記録装置であって、
上記記録媒体の縁を含む縁周辺部に画像を形成する場合には、上記液体組成物を使用せずに上記インクを使用して上記記録媒体に記録が行われるように制御する手段を備えることを特徴とするインクジェット記録装置。
【請求項８】
記録媒体にインクを吐出して記録を行うインクジェット記録装置であって、
上記記録媒体の縁を含む縁周辺部にまでインクを吐出して記録を行う第１記録モードと、上記縁周辺部にはインクを吐出せずに記録を行う第２記録モードとを実行可能な記録制御部と、
上記第１記録モードの実行の際に吐出されるインクを受けるインク吸収体とを備え、
上記記録制御部は、上記第２記録モードを実行する場合、上記記録媒体に対して顔料インク及び染料インクを吐出し、上記第１記録モードを実行する場合、上記記録媒体及び上記インク吸収体に対して上記染料インクのみを吐出することを特徴とするインクジェット記録装置。
【請求項９】
記録媒体にインクを吐出して記録を行うインクジェット記録装置であって、
上記記録媒体の縁を含む縁周辺部及び当該縁周辺部の内側にある内側部分に対しインクを吐出して記録を行う縁なし記録と、当該縁周辺部にはインクを吐出せず上記内側部分にインクを吐出して記録を行う通常記録とを選択的に実行可能な記録制御部と、
上記縁なし記録の際に吐出されるインクを受けるためのインク吸収体とを備え、
上記記録制御部は、（ａ）上記通常記録を実行する場合、上記記録媒体の内側部分に対して顔料インク及び染料インクを吐出して記録を行い、（ｂ）上記縁なし記録を実行する場合、上記記録媒体の縁周辺部及び内側部分と、上記記録媒体の外側に位置する上記インク吸収体に対して、上記染料インクのみを吐出して記録を行うことを特徴とするインクジェット記録装置。
【請求項１０】
記録媒体の縁を含む縁周辺部にまでインクを吐出して記録を行う縁なし記録を実行可能なインクジェット記録装置であって、
顔料インクと染料インクを吐出可能な吐出部と、
プラテンと、
該プラテンに設けられ、上記縁なし記録の際に吐出されるインクを受けるためのインク吸収体とを備え、
上記縁なし記録が実行される場合、上記吐出部から上記顔料インクは吐出されず、上記吐出部から上記染料インクが上記記録媒体及び上記インク吸収体に向けて吐出されることを特徴とするインクジェット記録装置。
【請求項１１】
顔料インクと染料インクを吐出可能な吐出部を用いて記録媒体の縁を含む縁周辺部にまでインクを吐出して記録を行う縁なし記録の際に吐出されるインクを受けるインク吸収体を備えたインクジェット記録装置において実行されるインクジェット記録方法であって、
上記縁なし記録を実行するか否かを判断する工程と、
上記縁なし記録を実行すると判断された場合、上記吐出部から上記顔料インクは吐出せず上記染料インクのみを吐出して記録を行う工程と、
を有することを特徴とするインクジェット記録方法。
【請求項１２】
記録媒体にインクを吐出して記録を行うインクジェット記録方法であって、
上記記録媒体の縁を含む縁周辺部にまでインクを吐出して記録を行う第１記録モードが設定された場合、上記記録媒体上及び当該記録媒体の外側に位置するインク吸収体とに対して、上記染料インクのみを吐出して記録を行い、
上記縁周辺部にはインクを吐出せずに記録を行う第２記録モードが設定された場合、上記記録媒体上に対して顔料インク及び染料インクを吐出して記録を行う
ことを特徴とするインクジェット記録方法。
【請求項１３】
記録媒体にインクを吐出して記録を行うインクジェット記録方法であって、
上記記録媒体の縁を含む縁周辺部及び当該縁周辺部の内側にある内側部分に対しインクを吐出して記録を行う縁なし記録と、当該縁周辺部にはインクを吐出せず上記内側部分にインクを吐出して記録を行う通常記録とのいずれかを設定する工程と、
（ａ）上記通常記録が設定された場合、上記記録媒体の内側部分に対して顔料インク及び染料インクを吐出して記録を行い、（ｂ）上記縁なし記録が設定された場合、上記記録媒体の縁周辺部及び内側部分と、上記記録媒体の外側に位置するインク吸収体に対して、上記染料インクのみを吐出して記録を行う工程と、
を含むことを特徴とするインクジェット記録方法。
【請求項１４】
記録媒体の縁を含む縁周辺部にまでインクを吐出して記録を行う縁なし記録の際に吐出されるインクを受けるインク吸収体を備えたインクジェット記録装置において使用されるインクの種類を決定する方法であって、
上記縁なし記録を実行するか、上記記録媒体の縁周辺部にはインクを吐出せずに記録を行う通常記録を実行するかを判断する工程と、
上記通常記録を実行すると判断された場合、顔料インクと染料インクの両方の使用を決定し、上記縁なし記録を実行すると判断された場合、上記顔料インクと染料インクのうち、上記染料インクのみの使用を決定する工程と、
を含むことを特徴とするインクジェット記録方法。
【請求項１５】
顔料インクと染料インクを吐出可能な吐出部を備えたインクジェット記録装置であって、
記録媒体の縁を含む縁周辺部にまでインクを吐出して記録を行う縁なし記録を実行可能な記録制御部と、
上記縁なし記録の際に吐出されるインクを受けるためのインク吸収体とを備え、
上記記録制御部は、上記縁なし記録を実行する場合、上記記録媒体の縁に向かって上記顔料インクの使用量を減らし且つ上記染料インクの使用量を増やすことを特徴とするインクジェット記録装置。
【請求項１６】
顔料インクと染料インクを吐出可能な吐出部を備えたインクジェット記録装置であって、
記録媒体の縁を含む縁周辺部及び当該縁周辺部の内側にある内側部分に対しインクを吐出して記録を行う縁なし記録を実行可能な記録制御部と、
上記縁なし記録の際に吐出されるインクを受けるためのインク吸収体とを備え、
上記記録制御部は、上記縁なし記録を実行する場合、上記記録媒体の内側部分に比べ、上記記録媒体の縁周辺部に対して、上記顔料インクの使用量を減らすことを特徴とするインクジェット記録装置。
【手続補正３】
【補正対象書類名】明細書
【補正対象項目名】０００１
【補正方法】変更
【補正の内容】
【０００１】
【発明の属する技術分野】
本発明は、インクジェット記録装置に関し、特に、プリントのためにいくつかの異なるインクを備えたプリントシステムであって、画像形成がされる記録媒体の部分によって、低浸透性のインクと高浸透性のインクとを適宜に選択して用いることができるように制御されており、記録媒体の縁を含んだ縁周辺部にも画像を形成する所謂「縁なし記録」の際にも良好な画像形成を可能とするインクジェット記録装置及びインクジェット記録方法に関する。
【手続補正４】
【補正対象書類名】明細書
【補正対象項目名】０００９
【補正方法】変更
【補正の内容】
【０００９】
従って、本発明の目的は、記録媒体の縁を含む縁周辺部にまで記録する「縁なし記録」が行われた場合にも、記録媒体の縁周辺部分に画像を形成しない通常の画像形成の場合と同様に、常に良好な記録が行なえるインクジェット記録装置及びインクジェット記録方法を提供することにある。
【手続補正５】
【補正対象書類名】明細書
【補正対象項目名】００１０
【補正方法】変更
【補正の内容】
【００１０】
【課題を解決するための手段】
上記目的は、以下の本発明によって達成される。即ち、本発明は、インク吸収体にインク成分が堆積し易い低浸透性のインクと、インク吸収体にインク成分が堆積しにくい高浸透性のインクとを用いて記録媒体に記録を行うインクジェット記録装置であって、上記記録媒体の縁を含む縁周辺部にまで画像を形成する場合には、上記低浸透性のインクを使用せずに上記高浸透性のインクのみを使用して記録を行うことを特徴とするインクジェット記録装置である。また、本発明は、インク吸収体にインク成分が堆積し易い低浸透性のインクと、インク吸収体にインク成分が堆積しにくい高浸透性のインクとを用いて記録を行うインクジェット記録装置であって、記録媒体の縁を含む縁周辺部にまで画像を形成する場合に、記録媒体の縁に向かって低浸透性のインクの使用量が減り、且つ高浸透性のインクの使用量が増えるように、インクの使用量を制御することを特徴とするインクジェット記録装置である。また、本発明は、顔料インクと染料インクを吐出可能な吐出部を備えたインクジェット記録装置であって、記録媒体の縁を含む縁周辺部にまでインクを吐出して記録を行う縁なし記録を実行可能な記録制御部と、上記縁なし記録の際に吐出されるインクを受けるためのインク吸収体とを備え、上記記録制御部は、上記縁なし記録を実行する場合、上記顔料インクは吐出せず上記染料インクのみを吐出することを特徴とするインクジェット記録装置である。
【手続補正６】
【補正対象書類名】明細書
【補正対象項目名】００１１
【補正方法】変更
【補正の内容】
【００１１】
また、本発明の別の実施形態は、インク吸収体にインク成分が堆積し易い低浸透性のインクと、インク吸収体にインク成分が堆積しにくい高浸透性のインクとを用いて記録媒体に画像を記録するインクジェット記録方法であって、記録媒体の縁を含む縁周辺部にまで画像を形成する場合に、上記低浸透性のインクを使用せずに上記高浸透性のインクのみを使用して画像を記録することを特徴とするインクジェット記録方法である。また、本発明は、インク吸収体にインク成分が堆積し易い低浸透性のインクと、インク吸収体にインク成分が堆積しにくい高浸透性のインクとを用いて記録媒体に画像を記録するインクジェット記録方法であって、記録媒体の縁を含む縁周辺部にまで画像を形成する場合に、記録媒体の縁に向かって低浸透性のインクの使用量が減り、且つ高浸透性のインクの使用量が増えるように、インクの使用量を制御して画像を記録することを特徴とするインクジェット記録方法である。
【手続補正７】
【補正対象書類名】明細書
【補正対象項目名】００１２
【補正方法】変更
【補正の内容】
【００１２】
また、本発明の別の実施形態は、インクを付与するためのインク付与手段と、当該インクと反応する液体組成物を付与するための液体組成物付与手段とを用いて記録媒体に画像を記録可能なインクジェット記録装置であって、上記記録媒体の縁を含む縁周辺部に画像を形成する場合には、上記液体組成物を使用せずに上記インクを使用して上記記録媒体に記録が行われるように制御する手段を備えることを特徴とするインクジェット記録装置である。
【手続補正８】
【補正対象書類名】明細書
【補正対象項目名】００１３
【補正方法】変更
【補正の内容】
【００１３】
また、本発明は、記録媒体にインクを吐出して記録を行うインクジェット記録装置であって、上記記録媒体の縁を含む縁周辺部にまでインクを吐出して記録を行う第１記録モードと、上記縁周辺部にはインクを吐出せずに記録を行う第２記録モードとを実行可能な記録制御部と、上記第１記録モードの実行の際に吐出されるインクを受けるインク吸収体とを備え、上記記録制御部は、上記第２記録モードを実行する場合、上記記録媒体に対して顔料インク及び染料インクを吐出し、上記第１記録モードを実行する場合、上記記録媒体及び上記インク吸収体に対して上記染料インクのみを吐出することを特徴とするインクジェット記録装置である。
【手続補正９】
【補正対象書類名】明細書
【補正対象項目名】００１４
【補正方法】変更
【補正の内容】
【００１４】
また、本発明は、記録媒体にインクを吐出して記録を行うインクジェット記録装置であって、上記記録媒体の縁を含む縁周辺部及び当該縁周辺部の内側にある内側部分に対しインクを吐出して記録を行う縁なし記録と、当該縁周辺部にはインクを吐出せず上記内側部分にインクを吐出して記録を行う通常記録とを選択的に実行可能な記録制御部と、上記縁なし記録の際に吐出されるインクを受けるためのインク吸収体とを備え、上記記録制御部は、（ａ）上記通常記録を実行する場合、上記記録媒体の内側部分に対して顔料インク及び染料インクを吐出して記録を行い、（ｂ）上記縁なし記録を実行する場合、上記記録媒体の縁周辺部及び内側部分と、上記記録媒体の外側に位置する上記インク吸収体に対して、上記染料インクのみを吐出して記録を行うことを特徴とするインクジェット記録装置である。また、本発明は、記録媒体の縁を含む縁周辺部にまでインクを吐出して記録を行う縁なし記録を実行可能なインクジェット記録装置であって、顔料インクと染料インクを吐出可能な吐出部と、プラテンと、該プラテンに設けられ、上記縁なし記録の際に吐出されるインクを受けるためのインク吸収体とを備え、上記縁なし記録が実行される場合、上記吐出部から上記顔料インクは吐出されず、上記吐出部から上記染料インクが上記記録媒体及び上記インク吸収体に向けて吐出されることを特徴とするインクジェット記録装置である。
また、本発明の別の実施形態は、顔料インクと染料インクを吐出可能な吐出部を用いて記録媒体の縁を含む縁周辺部にまでインクを吐出して記録を行う縁なし記録の際に吐出されるインクを受けるインク吸収体を備えたインクジェット記録装置において実行されるインクジェット記録方法であって、上記縁なし記録を実行するか否かを判断する工程と、上記縁なし記録を実行すると判断された場合、上記吐出部から上記顔料インクは吐出せず上記染料インクのみを吐出して記録を行う工程と、を有することを特徴とするインクジェット記録方法である。また、本発明は、記録媒体にインクを吐出して記録を行うインクジェット記録方法であって、上記記録媒体の縁を含む縁周辺部にまでインクを吐出して記録を行う第１記録モードが設定された場合、上記記録媒体上及び当該記録媒体の外側に位置するインク吸収体とに対して、上記染料インクのみを吐出して記録を行い、上記縁周辺部にはインクを吐出せずに記録を行う第２記録モードが設定された場合、上記記録媒体上に対して顔料インク及び染料インクを吐出して記録を行うことを特徴とするインクジェット記録方法である。また、本発明は、記録媒体にインクを吐出して記録を行うインクジェット記録方法であって、上記記録媒体の縁を含む縁周辺部及び当該縁周辺部の内側にある内側部分に対しインクを吐出して記録を行う縁なし記録と、当該縁周辺部にはインクを吐出せず上記内側部分にインクを吐出して記録を行う通常記録とのいずれかを設定する工程と、（ａ）上記通常記録が設定された場合、上記記録媒体の内側部分に対して顔料インク及び染料インクを吐出して記録を行い、（ｂ）上記縁なし記録が設定された場合、上記記録媒体の縁周辺部及び内側部分と、上記記録媒体の外側に位置するインク吸収体に対して、上記染料インクのみを吐出して記録を行う工程と、を含むことを特徴とするインクジェット記録方法である。また、本発明は、記録媒体の縁を含む縁周辺部にまでインクを吐出して記録を行う縁なし記録の際に吐出されるインクを受けるインク吸収体を備えたインクジェット記録装置において使用されるインクの種類を決定する方法であって、上記縁なし記録を実行するか、上記記録媒体の縁周辺部にはインクを吐出せずに記録を行う通常記録を実行するかを判断する工程と、上記通常記録を実行すると判断された場合、顔料インクと染料インクの両方の使用を決定し、上記縁なし記録を実行すると判断された場合、上記顔料インクと染料インクのうち、上記染料インクのみの使用を決定する工程と、を含むことを特徴とするインクジェット記録方法である。
また、本発明の別の実施形態は、顔料インクと染料インクを吐出可能な吐出部を備えたインクジェット記録装置であって、記録媒体の縁を含む縁周辺部にまでインクを吐出して記録を行う縁なし記録を実行可能な記録制御部と、上記縁なし記録の際に吐出されるインクを受けるためのインク吸収体とを備え、上記記録制御部は、上記縁なし記録を実行する場合、上記記録媒体の縁に向かって上記顔料インクの使用量を減らし且つ上記染料インクの使用量を増やすことを特徴とするインクジェット記録装置である。また、本発明は、顔料インクと染料インクを吐出可能な吐出部を備えたインクジェット記録装置であって、記録媒体の縁を含む縁周辺部及び当該縁周辺部の内側にある内側部分に対しインクを吐出して記録を行う縁なし記録を実行可能な記録制御部と、上記縁なし記録の際に吐出されるインクを受けるためのインク吸収体とを備え、上記記録制御部は、上記縁なし記録を実行する場合、上記記録媒体の内側部分に比べ、上記記録媒体の縁周辺部に対して、上記顔料インクの使用量を減らすことを特徴とするインクジェット記録装置である。